【事件の表示】
　上記当事者間の登録第４５３１０７１号商標の商標登録無効審判事件について、次のとおり審決する。
【結　論】
　登録第４５３１０７１号の登録を無効とする。
　審判費用は被請求人の負担とする。
【理　由】
第１　本件商標　　　
　本件登録第４５３１０７１号商標（以下「本件商標」という。）は、「ＫＡＮＮＯＮ」の欧文字を横書きしてなり、平成１０年６月１９日登録出願、第１２類「二輪自動車・自転車並びにそれらの部品及び附属品，陸上の乗物用の動力機械（その部品を除く。），軸，軸受，軸継ぎ手，ベアリング，動力伝導装置，緩衝器，ばね，制動装置，陸上の乗物用の交流電動機又は直流電動機（その部品を除く。），タイヤ又はチューブの修繕用ゴムはり付け片，乗物用盗難警報器」を指定商品として、同１３年１２月２１日に設定登録されたものである。
　
第２　請求人の引用する商標
　請求人が本件商標の無効の理由に引用する商標は、以下のとおり（引用各商標の指定商品は、別紙に表示した。）。
（１）登録第２２１８１０９号商標は、「ＫＡＮＯＮ」の欧文字を横書きしてなり、昭和６２年１月６日登録出願、第１１類、別紙に表示したとおりの商品を指定商品として、平成２年３月２７日に設定登録されたものである。
（２）登録第２２５２５５６号商標は、「ＫＡＮＯＮ」の欧文字を横書きしてなり、昭和６２年１月６日登録出願、第９類、別紙に表示したとおりの商品を指定商品として、平成２年７月３０日に設定登録されたものである。
（３）登録第４６５６９０号商標は、「カノン」の片仮名文字と「ＫＡＮＯＮ」の欧文字を二段に横書きしてなり、昭和２９年８月１３日登録出願、第１７類、別紙に表示したとおりの商品を指定商品として、同３０年５月１４日に設定登録されたものである。
（４）登録第４８３５９６号商標は、「カノン」の片仮名文字と「ＫＡＮＯＮ」の欧文字を二段に横書きしてなり、昭和２９年８月１３日登録出願、第７類、別紙に表示したとおりの商品を指定商品として、同３１年６月２９日に設定登録されたものである。
（５）登録第２１４０１８２号商標は、「カノン」の片仮名文字を横書きしてなり、昭和６０年４月１５日登録出願、第１１類、別紙に表示したとおりの商品を指定商品として、平成１年５月３０日に設定登録されたものである。
（６）登録第４０６５３３９号商標は、「ＫＡＮＯＮ」の欧文字と「カノン」の片仮名文字を二段に横書きしてなり、平成７年５月１５日登録出願、第９類、別紙に表示したとおりの商品を指定商品として、同９年１０月３日に設定登録されたものである。
（７）登録第４１１７５８７号商標は、「カノン」の片仮名文字と「ＫＡＮＯＮ」の欧文字を二段に横書きしてなり、平成８年１２月１７日登録出願、「第１２類、別紙に表示したとおりの商品を指定商品として、同１０年２月２０日に設定登録されたものである。　
（８）登録第４１２２４２６号商標は、「カノン」の片仮名文字と「ＫＡＮＯＮ」の欧文字を二段に横書きしてなり、平成８年１２月１２日登録出願、第９類、別紙に表示したとおりの商品を指定商品として、同１０年３月６日に設定登録されたものである。
（９）登録第４１２９７１４号商標は、「カノン」の片仮名文字と「ＫＡＮＯＮ」の欧文字を二段に横書きしてなり、平成８年１２月５日登録出願、第６類、別紙に表示したとおりの商品を指定商品として、同１０年３月２７日に設定登録されたものである。
（１０）登録第４１２９７２５号商標は、「カノン」の片仮名文字と「ＫＡＮＯＮ」の欧文字を二段に横書きしてなり、平成８年１２月１７日登録出願、第７類、別紙に表示したとおりの商品を指定商品として、同１０年３月２７日に設定登録されたものである。
（１１）登録第４１４８７４８号商標は、「カノン」の片仮名文字と「ＫＡＮＯＮ」の欧文字を二段に横書きしてなり、平成８年１２月１７日登録出願、第１１類、別紙に表示したとおりの商品を指定商品として、同１０年５月２２日に設定登録されたものである。
（１２）登録第１５５３１７６号商標は、「ＣＡＭＮＯＮ」の欧文字を横書きしてなり、昭和５４年２月８日登録出願、第１１類、別紙に表示したとおりの商品を指定商品として、同５７年１１月２６日に設定登録されたものである。
（１３）登録第１５８１０８１号商標は、「ＣＡＭＮＯＮ」の欧文字を横書きしてなり、昭和５４年２月８日登録出願、第９類、別紙に表示したとおりの商品を指定商品として、同５８年４月２７日に設定登録されたものである。
　以下、上記（１）及び（２）の商標をまとめて「引用商標１」、（３）ないし（１１）の商標をまとめて「引用商標２」並びに（１２）及び（１３）の商標をまとめて「引用商標３」という。
　
第３　請求人の主張
　請求人は、結論同旨の審決を求め、その理由及び答弁に対する弁駁を要旨次のように述べ、証拠方法として甲第１号証ないし甲第２１号証（枝番を含む。）を提出した。
１　本件商標から「カノン」の称呼を生じることは、「ｄｉｎｎｅｒ」（ディナー）、「ｍａｎｎｅｒ」（マナー）、「ａｎｎｏｕｎｃｅｒ」（アナウンサー）、「ａｎｎｉｖｅｒｓａｒｙ」（アニバーサリー）、「ｃａｎｎｏｎ」（キャノン）、「ｆｕｎｎｙ」（ファニー）、「ｓｕｎｎｙ」（サニー）、「ｃｏｎｎｅｃｔｉｏｎ」（コネクション）、「ｉｎｎｏｖａｔｉｏｎ」（イノベション）のような英単語の表音からも首肯できるところである。
　これらの英単語は日本人にとって慣れ親しまれ、日常一般に使用される語である。
　しかして、造語よりなる商標を称呼する場合には、これを英語式に発音することも一般的であることが経験則から明らかであるから、本件商標は上記の英単語の例にならい「カノン」の称呼を生じるとみるのが極めて自然である。特に、「ｃａｎｎｏｎ」は「ＫＡＮＮＯＮ」とその構成上第一文字目の「ｃ」と「Ｋ」の差異を有するのみであるから、「ｃａｎｎｏｎ」が「キャノン」と発音、表音されるのと同様に、「ＫＡＮＮＯＮ」からは自然と「カノン」の称呼が生じるものである。
　ちなみに、過去の審決例をみても、「ＣＡＮＮＯＮ」からは「力ンノン」の称呼の他に「キャノン」の称呼をも生じると認定されている（甲第１５号証及び甲第１６号証）。
　よって、本件商標からは「力ンノン」または「カノン」の称呼が生じるものである。
　一方、引用商標１は、欧文字で「ＫＡＮＯＮ」と横書きしてなるものあるから、その欧文字に照応して「カノン」の称呼が生じるものである。
　引用商標２は、「カノン」の文字、「カノン」と「ＫＡＮＯＮ」を二段併記の文字及び「ＫＡＮＯＮ」と「カノン」を二段併記の文字よりなるものでなるものであるから、その構成中の片仮名文字及び欧文字に照応して「カノン」の称呼が生じるものである。
　したがって、本件商標と引用商標１及び引用商標２とは、「カノン」の称呼を共通にする類似の商標である。
　引用商標３は、「ＣＡＭＮＯＮ」の文字よりなるものであるから、「カムノン」又は「キャムノン」の称呼が生じるものである。
　そこで、引用商標３から生じる「カムノン」の称呼と、本件商標から生じる「力ンノン」の称呼とを考察するに、「カムノン」と「力ンノン」とは第２音において「ム」と「ン」の差異を有するものであるが、「ム」と「ン」は、共に音質を同じくする鼻音の弱音であって、極めて近似の音であるばかりでなく、破裂音で称呼上アクセントを有し強く発音される語頭音の「カ」に続く弱い音のため、全体称呼上、両相違音は明確に聴別し難い音である。
　加えて、本件商標と引用商標３は、いずれも無意味な造語であるから、両商標から生じる強い観念が称呼上にも影響して区別可能にするといった特別の事情も全く存在しない。
　したがって、両称呼の「ム」と「ン」の差異が称呼全体に及ぼす影響は決して大きいとはいえず、時と場所を異にして両称呼に接する需要者、取引者は彼此混同するおそれが多分に存するものである。
　よって、「カムノン」と「力ンノン」とは互いに聴別し難い類似の称呼であるから、本件商標は、引用商標３にも称呼上明らかに類似する商標である。
　また、本件商標の指定商品は、引用商標１ないし引用商標３の指定商品と同一又は類似のものである。
　したがって、本件商標は、商標法第４条第１項第１１号に該当し、同法第４６条第１項第１号により無効にすべきものである。
２　答弁に対する弁駁
（１）被請求人は、「請求人の挙げた『ｄｉｎｎｅｒ』（ディナー）、『ｍａｎｎｅｒ』（マナー）、『ａｎｎｏｕｎｃｅｒ』（アナウンサー）等の事例は成語であり、世人に通用されている語であって、それぞれ上記のように発音されるのが自然であるが、本件商標『ＫＡＮＮＯＮ』は世人に馴染みのない一種の造語であることからして、その称呼は構成文字に相応して、ローマ字風に『力ンノン』と称呼されるのが自然である。」旨主張する。
　しかしながら、例えば、無効２０００−３５２５９号審決（甲第１８号証）が説示するとおり、「造語よりなる商標を称呼する場合にはこれをローマ字風に発音する称呼の他に、我が国に一般に親しまれた英語等の発音の用例を類推して称呼されることが決して少なくないというのが取引の実情に照らし相当と認められる。」ものである。
　このことは過去の判決例からも首肯できるところであり、例えば、東京高裁平成１１年（行ケ）第１６１号（甲第１９号証）においては「我が国における英語の普及度からみて、特定の意味合いを有しない欧文字の造語に接した取引者、需要者は、これを英語読みあるいは英語風読みで読むこともあると考えられる。」と、造語商標からは英語風の称呼も生じることにつき、既に明確な判断を示している。
　加えて、審決において、成語として世人に通用されている語ではない造語商標であって、その構成中に「ＮＮ」の文字部分を含む商標が英語風の称呼（換言すれば、「ＮＮ」の部分を区切ることなく、「Ｎ」１文字の如くに発音した称呼）が認定されている（甲第２０号証及び甲第２１号証）。
　請求人は、本件商標から「力ンノン」の称呼が生じることにつき、特段これを否定するものではないが、必ずしも「カンノン」に限定されるものではなく、審決の例からしても本件商標からは「カノン」の称呼をも生じるとみるのが極めて妥当である。
　
第４　被請求人の答弁
　被請求人は、本件審判の請求は成り立たない、審判費用は請求人の負担とする、との審決を求める、と答弁し、その理由を要旨次のように述べ、証拠方法として、乙第１号証ないし乙第４号証を提出した。
　請求人は、「本件商標は、その欧文字に照応して『カンノン』の称呼の他に『カノン』の称呼をも自然と生じるものである。」旨主張し、「ｄｉｎｎｅｒ」（ディナー）、「ｍａｎｎｅｒ」（マナー）、「ａｎｎｏｕｎｃｅｒ」（アナウンサー）等の事例を挙げている
　しかしながら、これらは、それらの語自体が現在では成語として、世人に通用されている語であって、それぞれ、上記のように発音されるのが自然であるが、本件商標「ＫＡＮＮＯＮ」は、世人に馴染みのない一種の造語からなるものであることからして、その称呼は、構成文字に相応して、ローマ文字読み風に「カンノン」と読まれ「カンノン」と称呼されるというのが自然な称呼である。
　次に、請求人は、「『ｃａｎｎｏｎ』の事例をひいて、『ＫＡＮＮＯＮ』からは、『カンノン』の称呼のほか『カノン』の称呼が生ずる。」旨主張するが、両者は、称呼を特定すべき構成文字の語頭おける綴字を異にするものであって、本件商標からは「カンノン」の称呼が生ずるものであるとする認定、判断を左右するものではない。
　このように、「ＫＡＮＮＯＮ」の文字からなる本件商標の自然的称呼は「カンノン」であるというべきである。
　　
第５　当審の判断
　本件商標は、「ＫＡＮＮＯＮ」の欧文字よりなるところ、該文字は、特定の意味を有しない造語よりなるものと認められるものである。
　そして、我が国における英語の普及度からみれば、特定の意味を有しない欧文字の造語に接した取引者、需要者は、我が国に一般に親しまれた英語等の発音の用例を類推して、これを英語読みあるいは英語風読みの称呼をもって、商取引に資することが決して少なくないというのが取引の実情に照らし相当である。
　さらに、請求人が、本件商標は「ＫＡＮＮＯＮ」の欧文字に相応し、「カノン」の称呼を生ずる、とする根拠として挙げる、「ｄｉｎｎｅｒ」（ディナー）、「ｍａｎｎｅｒ」（マナー）、「ａｎｎｏｕｎｃｅｒ」（アナウンサー）、「ａｎｎｉｖｅｒｓａｒｙ」（アニバーサリー）、「ｃａｎｎｏｎ」（キャノン）、「ｓｕｎｎｙ」（サニー）、「ｃｏｎｎｅｃｔｉｏｎ」（コネクション）、「ｉｎｎｏｖａｔｉｏｎ」（イノベション）の発音例は、一般に使用されている事実として認め得るところである。
　してみれば、特定の意味を有しない欧文字の造語商標に接した取引者、需要者は、前記した実情、中間に位置する「ｎｎ」の発音例よりすれば、本件商標は、「ＫＡＮＮＯＮ」の欧文字に相応し、「力ンノン」の称呼のほか「カノン」の称呼をも生じるものというのが相当である。
　一方、引用商標１は、「ＫＡＮＯＮ」の欧文字を横書きしてなるものあるから、その欧文字に照応して「カノン」の称呼が生じるものである。
　引用商標２は、「カノン」の片仮名文字、「カノン」の片仮名文字と「ＫＡＮＯＮ」の欧文字とを二段併記及び「ＫＡＮＯＮ」の欧文字と「カノン」の片仮名文字とを二段併記してなるものであるから、その片仮名文字及び欧文字に照応して「カノン」の称呼が生じるものである。
　したがって、本件商標と引用商標１及び引用商標２とは、「カノン」の称呼を共通にする類似の商標である。
　さらに、外観についてみるに、本件商標は「ＫＡＮＮＯＮ」欧文字よりなるのに対し、引用商標１は「ＫＡＮＯＮ」の欧文字よりなるところ、その綴りの差異は中間に位置する「ＮＮ」と「Ｎ」であり、連続して「Ｎ」の文字を有するか否かの相違であるから、「ＫＡＮＮＯＮ」と「ＫＡＮＯＮ」の文字を時と所を異にして離隔観察するときは、彼此見誤る場合も多いものというのが相当である。
　そうとすれば、本件商標と引用商標１及び引用商標２とは、「カノン」の称呼を共通にする類似の商標であり、かつ、本件商標と引用商標１とは、外観上も類似の商標といわざるを得ない。
　また、本件商標の指定商品は、引用商標１及び引用商標２の指定商品と同一又は類似のものである。
　したがって、本件商標は、商標法第４条第１項第１１号に違反して登録されたものであるから、商標法第４６条第１項の規定により、その登録を無効とすべきである。
　よって、結論のとおり審決する。